(57)【要約】【課題】携帯電話機を紛失あるいは盗難などにより、失ってしまった場合に、紛失してしまった携帯電話機ユーザの個人情報をユーザが再び参照できるようにする。【解決手段】携帯電話機であって、個人情報を記憶しておく記憶手段と、外部の機器からの指示を受信する受信手段と、前記受信手段により外部から指示を受けた場合に、前記記憶手段に記憶されている個人情報を自機外部の特定の機器に送信する送信手段とを有し、送信後に当該個人情報を携帯電話機から消去する。【選択図】図２
2005354273.tif 000002
【特許請求の範囲】
【請求項１】
個人情報を記憶する記憶手段と、
外部の機器からの指示を受信する受信手段と、
前記受信手段が外部の機器から特定の指示を受信した場合に、前記記憶手段に記憶されている個人情報を外部の特定機器に送信する送信手段とを有する
ことを特徴とする携帯電話機。
【請求項２】
前記携帯電話機は、
予めパスワードを記憶しておくパスワード記憶手段と、
前記特定の指示にはパスワードが含まれ、当該パスワードと、前記パスワード記憶手段に記憶されているパスワードとが一致するかどうかを判定する判定手段とを有し、
前記判定手段によりパスワードが一致すると判定された場合に限り、前記送信手段は前記個人情報を送信する
ことを特徴とする請求項１記載の携帯電話機。
【請求項３】
前記携帯電話機は自機の操作を検知し記録する操作履歴記録手段と、
前記操作履歴を記憶しておく操作履歴記憶手段とを有し、
前記送信手段は前記操作履歴を前記個人情報と共に送信する
ことを特徴とする請求項１又は２記載の携帯電話機。
【請求項４】
前記携帯電話機は自機の位置情報を取得する位置情報取得手段を有し、
前記送信手段は前記位置情報取得手段により取得された自機の位置情報を前記個人情報と共に送信する
ことを特徴とする請求項１〜３のいずれか１項に記載の携帯電話機。
【請求項５】
前記送信手段により前記個人情報が送信された後に、当該個人情報を消去する個人情報消去手段を有する
ことを特徴とする請求項１〜４のいずれか１項に記載の携帯電話機。
【請求項６】
前記送信手段は、前記個人情報のうち、特定の個人情報のみを送信する
ことを特徴とする請求項１〜５のいずれか１項に記載の携帯電話機。
【請求項７】
前記携帯電話機は、前記個人情報を圧縮する情報圧縮手段を有し、
前記送信手段は前記情報圧縮手段により圧縮された個人情報を送信する
ことを特徴とする請求項１〜６いずれか１項に記載の携帯電話機。
【請求項８】
前記携帯電話機は、
電池の残量がなくて個人情報が送信できなかった場合に、次に自機の電池が充電されたときに前記個人情報を送信する
ことを特徴とする請求項１〜７いずれか１項に記載の携帯電話機。
【請求項９】
前記携帯電話機は、
前記送信手段により前記個人情報を送信するときに、自機が外見上変化しない
ことを特徴とする請求項１〜８いずれか１項に記載の携帯電話機。
【請求項１０】
前記外部の特定機器とは、予め自機が記憶している情報によって指定される機器である
ことを特徴とする請求項１〜９いずれか１項に記載の携帯電話機。
【請求項１１】
前記特定の指示には、当該特定の指示を送信した外部の機器に関する情報を含み、
前記外部の特定機器とは、前記特定の指示を送信した機器である
ことを特徴とする請求項１〜９いずれか１項に記載の携帯電話機。
【発明の詳細な説明】
【技術分野】
【０００１】
本発明は、紛失した携帯電話機に記憶されている個人情報の回収に関する。
【背景技術】
【０００２】
携帯電話機は、アドレス帳機能やメール機能を備え、個人情報の宝庫と言ってよい。そのため、携帯電話機を紛失あるいは盗難などによって失ってしまった場合には、ユーザが自分にとって有用な連絡先の情報などを失うばかりか、それらのデータを第三者に利用されてしまうことになりかねない。そのような事態を想定して、特許文献１には紛失や盗難などにより携帯電話機を失った場合に、携帯電話機の機能を停止させる技術が開示されている。
【特許文献１】特開２００２−２０９２６０号公報
【発明の開示】
【発明が解決しようとする課題】
【０００３】
ところで、携帯電話機を紛失した場合に、特許文献１に記されている技術のように携帯電話機の機能を停止させると、情報の流出を防ぐことはできるかもしれないが、依然ユーザの個人情報はユーザの手元に無く、参照できない。ユーザにとって連絡先が分からないということは不便な状態である。
そこで、本発明における携帯電話機においては、自機を紛失してしまった場合などにおいて、紛失してしまった携帯電話機のメモリに記憶されている個人情報を再びユーザが参照できる携帯電話機を提供することを目的とする。
【課題を解決するための手段】
【０００４】
上記課題を解決するため、本発明に係る携帯電話機は、個人情報を記憶する記憶手段と、外部の機器からの指示を受信する受信手段と、前記受信手段が外部の機器から特定の指示を受信した場合に、前記記憶手段に記憶されている個人情報を外部の特定機器に送信する送信手段とを有することを特徴としている。
【発明の効果】
【０００５】
上述のような構成によって、携帯電話機は命令を受信した際に、外部の特定の機器、例えばユーザの自宅のパソコンなどに個人情報を送信するので、それらの情報を再びユーザが参照できるようになる。なお、ここで個人情報とは携帯電話機が記憶しているアドレス帳やメールなどの情報を言う。また、ここで言う特定の指示とは、携帯電話機の保持する個人情報を携帯電話機に送信させる指示の事を言う。
【０００６】
また、前記携帯電話機は、予めパスワードを記憶しておくパスワード記憶手段と、前記特定の指示にはパスワードが含まれ、当該パスワードと、前記パスワード記憶手段に記憶されているパスワードとが一致するかどうかを判定する判定手段とを有し、前記判定手段によりパスワードが一致すると判定された場合に限り、前記送信手段は前記個人情報を送信することとしてもよい。
【０００７】
これにより、パスワードを知るユーザだけが個人情報を回収できるようになる。
また、前記携帯電話機は自機の操作を検知し記録する操作履歴記録手段と、前記操作履歴を記憶しておく操作履歴記憶手段とを有し、前記送信手段は前記操作履歴を前記個人情報と共に送信することとしてもよい。
これにより、ユーザが携帯電話機を紛失してからパスワードを送るまでの間で第三者によって携帯電話機を使用されたかどうかが分かり、後日アドレス帳などの個人情報を悪用されたときなどに対しての心構えをユーザが持つことができる。
【０００８】
また、前記携帯電話機は自機の位置情報を取得する位置情報取得手段を有し、前記送信手段は前記位置情報取得手段により取得された自機の位置情報を前記個人情報と共に送信することとしてもよい。
これにより、紛失した携帯電話機のその時点における位置情報をユーザが取得できるようになり、あるいは、自機の回収も可能になる。
【０００９】
また、前記送信手段により前記個人情報が送信された後に、当該個人情報を消去する個人情報消去手段を有することとしてもよい。
これにより、携帯電話機の個人情報は消去されるため、個人情報消去後における個人情報の流出を防げる。
また、前記送信手段は、前記個人情報のうち、特定の個人情報のみを送信することとしてもよい。
【００１０】
これにより、ユーザにとって必要な情報のみを送信することができる。
また、前記携帯電話機は、前記個人情報を圧縮する情報圧縮手段を有し、前記送信手段は前記情報圧縮手段により圧縮された個人情報を送信することとしてもよい。
これにより、個人情報の送信にかかる時間を短縮でき、またユーザにかかる費用負担も軽減できる。
【００１１】
また、前記携帯電話機は、電池の残量がなくて個人情報が送信できなかった場合に、次に自機の電池が充電されたときに前記個人情報を送信することとしてもよい。
これにより、万一携帯電話機の電池が少なくて個人情報を送信できなかった場合においても、第３者によって携帯電話機の電池が充電され動作可能になったならば個人情報を送信でき、ユーザは再び携帯電話機に記憶されていた個人情報を参照できるようになる。
【００１２】
また、前記携帯電話機は、前記送信手段により前記個人情報を送信するときに、自機が外見上変化しないこととしてもよい。
これにより、悪意を持つ第三者に携帯電話機を拾われていた場合などに第三者に知られることなく個人情報を送信することができる。このことにより、個人情報の送信がばれて第三者に電源を切られるといった事態を避けられる。
【００１３】
また、前記外部の特定機器とは、予め自機が記憶している情報によって指定される機器であることとしてもよい。
これにより、ユーザは個人情報がどの機器に送られてくるかを知っておくことができる。なお、ここでいう自機が記憶している情報とは個人情報の送信先アドレスを言い、それによって指定される機器とは、当該アドレスを有する機器（例えばパソコン）のことを言う。
【００１４】
また、前記特定の指示には、当該特定の指示を送信した外部の機器に関する情報を含み、前記外部の特定機器とは、前記特定の指示を送信した機器であることとしてもよい。
これにより、ユーザが指示を送信した機器に個人情報を返信するので、ユーザは個人情報が送信されてきたならばすぐにでも参照できるようになる。
【発明を実施するための最良の形態】
【００１５】
以下、本発明に係る携帯電話機の実施の形態について図面を用いて説明する。
＜実施の形態＞
図１は、携帯電話機１００を紛失した場合において携帯電話機１００に記憶されている個人情報を回収するまでの流れを概略的に示した概略図である。
携帯電話機１００のユーザは、携帯電話機１００を紛失した場合には、メールを送信できる機器、例えば、パソコン１１０からインターネット１３０を介してパスワードメールを携帯電話機１００に送信する。パスワードメールを受信した携帯電話機１００は、パスワードを認証して、パスワードが正しいものと判断した場合に、予め定められたメールを受信出来る特定の機器、例えばユーザの自宅のパソコン１２０に、アドレス帳などの個人情報を送信する。
【００１６】
＜構成＞
図２は、携帯電話機１００の機能ブロック図である。
携帯電話機１００は、通信部２１０と、音声処理部２２０と、ＧＰＳ受信部２３０と、操作部２４０と、表示部２５０と、記憶部２６０と、制御部２７０とからなる。以下、各部の説明をしていく。
【００１７】
＜通信部２１０＞
通信部２１０は、アンテナ２１１から受け取った受信信号を受話音声信号及び受信データ信号に復調し、復調した受話音声信号を音声部２２０に、受信データ信号を制御部２７０に出力するものである。また、音声部２２０からのＡ／Ｄ変換された送話音声信号、及び制御部２７０から与えられる電子メールなどの送信データ信号を変調し、アンテナ２１１から出力する機能を有する。
【００１８】
＜音声処理部２２０＞
音声処理部２２０は、通信部２１０から出力された受話音声信号をＤ／Ａ変換してスピーカ２２２に出力すると共に、マイク２２１から取得した送話音声信号をＡ／Ｄ変換し、生成した信号を通信部２１０に出力する機能を有する。
＜ＧＰＳ受信部２３０＞
ＧＰＳ受信部２３０は、アンテナ２３１を介してＧＰＳ衛星と交信し、携帯電話機１００の位置情報を取得する機能を有し、取得した位置情報を制御部２７０に出力する機能を有する。
【００１９】
＜操作部２４０＞
操作部２４０は、テンキーと、オンフックキーと、オフフックキーと、カーソルキー等を含み、ダイヤル操作、通話開始操作、通話終了操作、個人情報送信用パスワードや個人情報送信先アドレスの打ち込み等に用いられ、ユーザのキー入力を受け付けて、当該入力内容を制御部２６０に出力する機能を有する。
【００２０】
＜表示部２５０＞
表示部２５０は、ＬＣＤ（Liquid Crystal Display）やバックライトを含み、制御部２７０からの指示による画像を表示する。
＜記憶部２６０＞
記憶部２６０は、ＲＡＭ（Random Access Memory）およびＲＯＭ（Read Only Memory）を含み、各種データやプログラムを記憶しておくものである。ＲＡＭは特にユーザによって設定される個人情報送信用パスワード２６１と、個人情報送信先アドレス２６２と、操作履歴２６３と個人情報２６４とを記憶し、ＲＯＭは特に個人情報送信用プログラム２６５を記憶するものである。
【００２１】
個人情報送信用パスワード２６１は、携帯電話機１００のユーザが決定し、操作部２４０を介して入力するもので、ここでは例えば、S2hp556MqFとしている。当該パスワードと受信したメールの件名を比較して認証を行う。
個人情報送信先アドレス２６２もユーザが決定するものであり、このアドレスに個人情報２６４を送信する。ここでは例えば、Sakura_***@******.ne.jpとしている。
【００２２】
操作履歴２６３は、図４に示してあるように携帯電話機１００が一番最後に使用された日時を記憶している。なお、図４には携帯電話機１００の表示部２５０に表示された場合を示している。
個人情報２６４は、例えば図３にあるような情報のことである。図３にはそれぞれ携帯電話機の表示画面に表示されているものとして記している。図３（ａ）はアドレス帳の一例、図３（ｂ）はメールの一例、図３（ｃ）は、インターネットを利用する際のユーザのブックマーク、図３（ｄ）は、着信音をそれぞれ記してある。これらのデータを個人情報としている。
【００２３】
図６（ａ）は、図１におけるパソコン１２０が携帯電話機１００から受信するメールである。宛先には図のように個人情報送信先アドレス２６２が記載されており、個人情報２６４は、添付ファイルの形式で送信されてくる。図６（ｂ）には、添付ファイルの一つアドレス帳を展開したものを記しており、これを更に展開すると図３（ａ）のような詳細なデータが参照できる。
【００２４】
個人情報送信用プログラム２６５は、携帯電話機１００が受信したメールがパスワードメールであった場合に、メールに個人情報を添付し、個人情報送信先アドレス２６２を宛先にして送信し、送信後に個人情報２６４をＲＡＭから消去するまでを行うプログラムである。
＜制御部２７０＞
制御部２７０は、ＣＰＵ（Central Processing Unit）を含み、携帯電話機１００の各部を制御するものである。
【００２５】
制御部２７０は、操作部２４０からの入力内容により、ＲＡＭの個人情報送信用パスワード２６１と、個人情報送信先アドレス２６２と、個人情報２６４とを書き換える機能を有する。また、携帯電話機１００の電源が入れられたとき、若しくは表示部２５０の有するバックライトが点灯したときの日時を、操作履歴２６３に記録する機能を有する。
更に制御部２７０は、通信部２１０から受け取ったメールの件名と個人情報送信用パスワード２６１とを比較する。両者が一致するときに、個人情報送信用プログラム２６５を読み出し、当該プログラムに従い、記憶部２６０に保持されている個人情報２６４を、メールに添付して、個人情報送信先アドレス２６２に通信部２１０を介して送信し、その後に個人情報２６４をＲＡＭから消去する機能を有する。
【００２６】
＜動作＞
次に、本実施の形態の動作を図７及び図８に示すフローチャートを用いて説明する。
図７のフローチャートには、操作履歴２６３の更新の流れを示しており、制御部２７０は、携帯電話機１００の電源が入っていない場合には電源を入れたとき、若しくは、待ち受けモードから表示部２５０が有するバックライトが点灯されユーザが携帯電話機１００を使用するアクティブモードになったとき（ステップＳ７０１）、それぞれ電源のＯＮ、あるいはバックライトを制御部２７０が点灯させたことをスイッチに、そのときの日時を読み出し、ＲＡＭの操作履歴２６３に書かれている日時を書き換える（ステップＳ７０３）。
【００２７】
図８には、メールを受信した際に、それがパスワードメールだった場合の処理を記してある。外部の機器、例えばパソコン１１０からメールを受信（ステップＳ８０１）した携帯電話機１００は、制御部２７０により当該メールの件名を抽出する（ステップＳ８０３）。それと共に記憶部２６０から個人情報送信用パスワード２６１を読み出し、抽出した件名に書かれている文字列と、個人情報送信用パスワード２６１とを比較する。両者が一致しない場合（ステップＳ８０５のＮＯ）は、制御部２７０は通常のメールとして処理し（ステップＳ８０７）、終了する。両者が一致した場合（ステップＳ８０５のＹＥＳ）には、制御部２７０は、個人情報送信用プログラム２６５を記憶部２６０のＲＯＭから読み出し、それに従い、ＧＰＳ受信部２３０にＧＰＳ衛星と交信させ、自機の位置情報を取得させる（ステップＳ８０９）。また、記憶部２６０のＲＡＭから操作履歴２６３及び個人情報２６４を読み出し（ステップＳ８１１）、ＧＰＳ受信部２３０が取得した自機の位置情報と、操作履歴２６３と、個人情報２６４とをあわせて、予め自機にユーザによって定められている個人情報送信先アドレス２６２（ここではSakura_***@******.ne.jp）を持つ機器、例えばパソコン１２０にメールで送信する（ステップＳ８１３）。個人情報２６４を送信した後に、ＲＡＭが保持している個人情報２６４を消去して（ステップＳ８１５）一連の作業を終える。
【００２８】
＜補足＞
なお、上記実施の形態では、個人情報の全てを送信するようにしたけれどもパスワードメールのパスワードを数種類用意し、それにより送信する個人情報を選別しても良い。これにより、ユーザにとって欲しい情報のみを受け取ることができる。
また、上記実施の形態では、携帯電話機１００は個人情報をメールにそのまま添付して送信したけれども、データを圧縮して添付しても良い。これにより送信費用の軽減ができる。
【００２９】
また、上記実施の形態では、携帯電話機１００は個人情報を送信する送信先を予め設定しているけれども、パスワードを複雑化してパスワードメールで送信先を決定しても良いし、パスワードメールを送ってきた機器に返信するというようにしても良い。
また、上記実施の形態では、操作履歴２６３として最後に使用された日時のみを記憶させていたが、その操作内容例えば、アドレス帳の閲覧、受信メール閲覧、あるいはインターネット利用操作などを共に記憶させても良い。これにより、紛失中に携帯電話機１００が第三者に使用されていた場合にその操作内容まで知ることができ、第三者に見られたくないデータを見られたかどうかもわかる。
【００３０】
また、上記実施の形態では、携帯電話機１００の紛失にユーザは早めに気付くことを想定しメールを送信し、個人情報を消去できるだけの電力量が残っているものとして話を進めたが、個人情報送信の作業過程を示した履歴情報を残し、電池残量の不足により作業の中途で携帯電話機１００が作動しなくなった場合には、次に自機が充電された時に履歴情報を読み出して中断した作業を続行するようにしても良い。
【００３１】
また、通常携帯電話機では、メールを受信した場合に受信中はバックライトが点灯し、受信後にはメールを受信したことがアイコン若しくは文章などで表示されるが、受信したメールがパスワードメールであることが判明、即ちメールの件名とパスワードとが一致すると制御部２７０が判断した時点でバックライトの点灯など通常のメール受信動作を停止させるようにしても良い。これにより、携帯電話機１００を拾得した第３者になるべくパスワードメールを携帯電話機１００が受信したことを知らせないようにする。
【００３２】
また、個人情報を送信する際にも、パスワードメールを受信したときと同様に、表面上は動作していないように見せかけ、携帯電話機１００を拾得した第３者には個人情報を送信していることを知らせないようにする。つまり、送信の際にはＬＣＤのバックライトを点灯させたり、送信履歴を残したりしないようにしても良い。
【産業上の利用可能性】
【００３３】
本発明に係る携帯電話機は、自機を紛失した際などにデータを回収できる携帯電話機として活用することができる。
【図面の簡単な説明】
【００３４】
【図１】本発明に係る携帯電話機のシステム図である。
【図２】本発明に係る携帯電話機の機能ブロック図である。
【図３】個人情報２６４の内容を示した図である。
【図４】操作履歴２６３の内容を示した図である。
【図５】携帯電話機１００が受信するパスワードメールを示した図である。
【図６】パソコン１２０が携帯電話機１００から受信する個人情報２６４を添付したメールを示した図である。
【図７】携帯電話機１００の操作履歴の更新を示したフローチャートである。
【図８】本発明に係る携帯電話機がパスワードメールを受信したときの動作を示したフローチャートである。
【符号の説明】
【００３５】
１００  携帯電話機
１１０、１２０  パソコン
１３０  インターネット
２１０  通信部
２２０  音声処理部
２３０  ＧＰＳ受信部
２４０  操作部
２５０  表示部
２６０  記憶部
２６１  個人情報送信用パスワード
２６２  個人情報送信先アドレス
２６３  操作履歴
２６４  個人情報
２６５  個人情報送信用プログラム
２７０  制御部
【図１】
2005354273.tif 000003
【図２】
2005354273.tif 000004
【図３】
2005354273.tif 000005
【図４】
2005354273.tif 000006
【図５】
2005354273.tif 000007
【図６】
2005354273.tif 000008
【図７】
2005354273.tif 000009
【図８】
2005354273.tif 000010